(57)【要約】【課題】簡単かつ単純な構造であり、かつ、照明機能を有する照明付手摺を提供する。【解決手段】建造物に設けられる手摺であって、長尺な横木部材１０と、横木部材１０を建造物に連結するための支持部材２０と、を備えており、横木部材１０には、照明部１１が設けられており、照明部１１は、帯状に形成された部材であって、その長手方向に沿って配設された複数のＬＥＤ光源部１２を備えており、横木部材１０には、横木部材１０の表面から凹んだ溝状の取付部10gが横木部材１０の軸方向に沿って形成されており、取付部10gに照明部１１が取り付けられている。取付部10gに照明部１１を取り付けるだけで、一度に複数のＬＥＤ光源部１２を取り付けることができ、配線等を収容するための特別な収容空間も不要となる。横木部材１０に形成された取付部10gに照明部１１を取り付けるだけの簡単な構造で、手摺に簡単に照明機能を付与することができるのである。【選択図】図１
0003174769.tif 000002
【実用新案登録請求の範囲】
【請求項１】
建造物に設けられる手摺であって、
長尺な横木部材と、該横木部材を前記建造物に連結するための支持部材と、を備えており、
前記横木部材には、
照明部が設けられており、
該照明部は、
帯状に形成された部材であって、その長手方向に沿って配設された複数のＬＥＤ光源部を備えており、
前記横木部材には、
該横木部材の表面から凹んだ溝状の取付部が該横木部材の軸方向に沿って形成されており、該取付部に前記照明部が取り付けられている
ことを特徴とする照明付手摺。
【請求項２】
前記ＬＥＤ光源部が、
透光性を有し、かつ、柔軟性を有する樹脂で形成された被覆部によって被覆されている
ことを特徴とする請求項１記載の照明付手摺。
【請求項３】
前記被覆部は、
帯状に形成されており、その内部には、複数のＬＥＤ光源部が配設されている
ことを特徴とする請求項２記載の照明付手摺。
【請求項４】
前記横木部材は、
その下側に前記取付部が形成されており、
前記取付部の断面形状と前記照明部の断面形状が略相似形に形成されており、
該取付部の凹み深さと該照明部の厚さが略同じである
ことを特徴とする請求項１、２または３記載の照明付手摺。
【考案の詳細な説明】
【技術分野】
【０００１】
本考案は、手摺に関する。さらに詳しくは、照明機能を有する手摺に関する。
【背景技術】
【０００２】
一般に建物の内部や外部において、通路や廊下、階段など人が歩行する場所には、夜間などに人が安全に歩行できるように照明器具が天井や外壁、電柱等に設けられている。このような照明器具は、人の頭上よりもある程度高い位置に取り付けられており、その照度も低いので、歩行する人の足元を十分に照らしだすことができない。とくに階段や外通路など段差等が存在する場所では、足元がある程度照らされていない場合、安全に歩行することができない可能性がある。とくに、災害が発生した場合には、人は足早になるので足元が暗ければ段差等に躓いて転んだりするので非常に危険である。
【０００３】
一方、建物の内部や外部において、人が歩行する通路や廊下、階段など人の歩行を補助したり、人の安全を守るために手摺が設置されている。しかし、夜間になると、人は手摺を視認することが難しくなり手摺を握り損ねたりするので、昼間に比べて手摺の効果を十分に発揮することができないという実情がある。
【０００４】
以上のように、一般に手摺は、人の歩行を補助したり、人の安全を守るための場所に設置されているので、このような場所に設置された手摺に照明機能を付与することができれば、夜間でも手摺を視認することができるので、夜間でも手摺の位置を把握することができる。例えば、手摺は、その笠木（横木）が人の腰程度の高さに位置するように通路等に設置されているので、かかる横木に照明機能を付与することによって、人の腰程度の高さから通路等を照らすことができる。すると、夜間などに、かかる手摺が設置された通路等を歩行する人は、足元がより照らしだされるので、階段等から足を踏み外す可能性が少なくなりより安全に歩行することができる。とくに、マンション等の集合住宅の外階段や共用通路は災害時などで避難用通路として使用されるので、照明機能を有する手摺を避難誘導灯として使用できる。したがって、このような外階段や通路などに照明機能を有する手摺を設置することは有用である。
【０００５】
近年、光源の小型化の技術が進んでおり手摺に照明機能を付与する技術が開発されている。例えば、ＬＥＤなどの小型の光源を備えた手摺が開発されており、かかる手摺では、光源から放射される光を手摺近傍の足元付近に照射することができるようになっている（例えば、特許文献１）。
【０００６】
特許文献１の手摺では、横木が下部に開口を有する中空な筒状のケースと、このケース内に収容された弾丸型のＬＥＤを有する照明部とを備えている。かかる手摺を通路等に設置すれば、横木のケース内に収容された照明部から放射された光は、ケースに設けられた開口部を通って横木下方に放射されるので、手摺が設置された場所の近傍の通路等の表面部、つまり手摺近傍の人の足元付近を照らしだすことができる。
【０００７】
また、一般的に人が手摺を握ったりする際、横木には荷重や振動等が加えられる。横木内部に照明部が設けられている場合、横木に加えられた振動等によって照明部が損傷等する可能性がある。
【０００８】
特許文献１の手摺では、ケース内には、照明部をケース内で所定の位置に保持するための保持部材が設けられている。この保持部材には、その内壁から内方に向かって照明部を保持するための水平突起部および上部突起部が形成されており、照明部には、保持部材の上部突起部に係合可能な位置決め突片部と、保持部材の水平突起部に係合するための係止突起部が形成されている。つまり、照明部をケース内に収容した状態において、横木に振動等を加えられた場合でも、照明部と保持部材が係合状態を維持し得る構造となっているので、ケース内で照明部が移動するのを防止できる。すると、照明部が、人が手摺の横木等を握ったりしたときに横木に加えられた振動等によりケース内を移動しないので、照明部が破損等することを防止することができる。
【０００９】
つまり、特許文献１の手摺では、夜間でも手摺近傍の人の足元付近を照らしだすことができ、手摺に振動等が加えられても横木内部に設けられた照明部に破損等が生じにくいという利点がある。
【先行技術文献】
【特許文献】
【００１０】
【特許文献１】特開  ２００５−３３６８９５号公報
【考案の概要】
【考案が解決しようとする課題】
【００１１】
しかるに、特許文献１の手摺では、照明部に弾丸型（砲弾型）のＬＥＤをそれぞれ個別に配設しなければならないので、照明部を横木に取り付けるための作業に手間と時間がかかるし、隣接するＬＥＤ間を電気的に接続するための配線をケース内に配設しなければならない。つまり、特許文献１の手摺では、手摺に照明機能を付与するための取り付け作業が煩雑であるといった問題が生じる。
【００１２】
しかも、横木内部に設けられた照明部を振動等から保護するための構造が上述したように複雑になるといった問題が生じる。また、このように横木内部の構造を複雑にする必要があるので、照明部のＬＥＤに何らかの障害が発生した場合、手摺を全て分解しなければ照明部をケース内から取り出すことができないといった問題点が生じる。とくに、手摺を建造物の外部に設置する場合、建造物の内部に手摺を設置する場合に比べて照明部の修理等が必要となる可能性が多くなるので、修理等を行うための作業工数も重要となる。
【００１３】
かかる事情もあり、横木の内部構造を複雑にすることなく手摺に照明機能を付与することができ、かつ、手摺に与えられる振動等に対しても照明部が破損等する可能性が低い手摺が望まれている。
【００１４】
本考案は上記事情に鑑み、簡単かつ単純な構造であり振動等に対しても照明部が損傷しにくい照明付手摺を提供することを目的とする。
【課題を解決するための手段】
【００１５】
第１考案の照明付手摺は、建造物に設けられる手摺であって、長尺な横木部材と、該横木部材を前記建造物に連結するための支持部材と、を備えており、前記横木部材には、照明部が設けられており、該照明部は、帯状に形成された部材であって、その長手方向に沿って配設された複数のＬＥＤ光源部を備えており、前記横木部材には、該横木部材の表面から凹んだ溝状の取付部が該横木部材の軸方向に沿って形成されており、該取付部に前記照明部が取り付けられていることを特徴とする。
第２考案の照明付手摺は、第1考案において、前記ＬＥＤ光源部が、透光性を有し、かつ、柔軟性を有する樹脂で形成された被覆部によって被覆されていることを特徴とする。
第３考案の照明付手摺は、第２考案において、前記被覆部は、帯状に形成されており、その内部には、複数のＬＥＤ光源部が配設されていることを特徴とする。
第４考案の照明付手摺は、第１、第２または第３考案において、前記横木部材は、その下側に前記取付部が形成されており、前記取付部の断面形状と前記照明部の断面形状が略相似形に形成されており、該取付部の凹み深さと該照明部の厚さが略同じであることを特徴とする。
【考案の効果】
【００１６】
第１考案によれば、帯状に形成された照明部の長手方向に沿って複数のＬＥＤ光源部が配設されている。このため、通路や廊下、階段などのように、人の歩行を補助したり人の安全を守ることが求められている場所に照明付手摺を設置した状態において、横木部材の長手方向に沿って照明付手摺近傍の人の足元付近を照らすことができる。すると、夜間でも横木部材から照射される光によって足元が十分に照らされるので、通路等に段差等が存在しても、かかる段差等に人が躓いたり、段差等を踏み外したりするのを防止できる。とくに、マンション等の集合住宅などの建造物の外階段等に照明付手摺を設置する場合、照明付手摺を災害時等における避難誘導灯としても使用することができる。しかも、照明部は、複数のＬＥＤ光源部が設けられた帯状の部材であるので、照明部を横木部材の取付部に取り付けるだけで、一度に複数のＬＥＤ光源部を横木部材に取り付けることができる。すると、ＬＥＤ光源部だけをそれぞれ別個に横木部材に取り付けることも不要となるので、横木部材に対して照明機能を付与するための作業工数を少なくすることができる。さらに、溝状の取付部を形成し、この取付部に照明部を取り付けるだけの構造であるので、横木部材には照明部や照明部の配線等を収容するための特別な収容空間も不要となるから、横木部材の構造を簡単にできる。つまり、横木部材に形成された取付部に照明部を取り付けるだけで、手摺に簡単に照明機能を付与することができるのである。
第２考案によれば、ＬＥＤ光源部が透光性を有する柔軟性樹脂で形成された被覆部によって被覆されているので、ある程度の振動や衝撃などからＬＥＤ光源部を保護することができる。つまり、横木部材の内部や照明部には、ＬＥＤ光源部を振動等から保護するための特別な構造が不要となるのである。すると、人が横木部材を握るなどの行為によって横木部材に振動や衝撃等が加えられた場合であっても、ＬＥＤ光源部が破損等するのを防止することができる。
第３考案によれば、帯状の被覆部の内部に複数のＬＥＤ光源部が配設されており、隣接するＬＥＤ光源部を電気的に接続する基盤部も被覆部によって覆われている。すると、取付部に照明部を取り付けるときに隣接するＬＥＤ光源部間の断線などの作業ミスなどが発生することを防止できるから、取付部に照明部を取り付けるときの作業効率を上げることができる。とくに、建造物の外部に照明付手摺を設置した場合、ＬＥＤ光源部に埃やゴミ、雨水等などが付着するのを確実に防止できるので、埃等が原因となるＬＥＤ光源部の故障等をより確実に防止することができる。
第４考案によれば、取付部の断面形状と照明部の断面形状が略相似形に形成されているので、取付部の大きさを照明部の大きさよりもやや大きくなるように形成すれば、照明部を取付部から外れにくくすることができる。しかも、照明部を取付部に取り付けた状態において、取付部の凹み深さと照明部の厚さが略同じであるので、人が横木部材を握りやすくできる。
【図面の簡単な説明】
【００１７】
【図１】（Ａ）は本実施形態の照明付手摺１の概略斜視図とその要部概略断面拡大図であり、（Ｂ）は本実施形態の照明付手摺１の概略底面図である。
【図２】本実施形態の照明付手摺１をマンション等の集合住宅に使用した状態を示した概略説明図であり、（Ａ）は共用通路ＣＡの壁Ｗに設置して照明部１１を点灯したときの概略説明図であり、（Ｂ）は共用階段ＣＵの壁Ｗに設置して照明部１１を点灯したときの概略説明図であり、（Ｃ）は他の実施形態の照明付手摺１を共用通路ＣＡの壁ＷＳに設置して照明部１１を点灯したときの概略説明図である。
【図３】（Ｉ）は本実施形態の照明付手摺１の横木部材１０の概略下面図とその概略端面図であり、（ＩＩ）は横木部材１０と照明部１１の概略側面図であり、照明部１１を横木部材１０の取付部10gに取り付ける状況を示した概略説明図である。
【図４】他の実施形態の照明付手摺１の横木部材１０の概略断面図であって、取付部10gに制御手段１６を取り付けた場合の概略断面図であり、（Ａ）は横木部材１０の断面形状が断面略円形状の横木部材１０の概略断面図であり、（Ｂ）は横木部材１０の断面形状が断面略楕円形状の横木部材１０の概略断面図である。
【考案を実施するための形態】
【００１８】
つぎに、本考案の実施形態を図面に基づき説明する。
本考案の照明付手摺１は、マンション等の集合住宅などの建造物の共用通路や共用階段などに設けられる手摺であって、照明機能を付与するための構造が簡単であり、しかも、衝撃や振動等に対しても照明部が損傷等しにくい構造としたことに特徴を有している。
【００１９】
なお、以下の説明では、本考案の照明付手摺は、その設置場所がマンション等の集合住宅の共用通路や共用階段等に限られず、例えば、オフィスビルや戸建て住宅のほか、橋、岸壁、道路、船舶等の建造物における通路や廊下等にも使用することができる。
【００２０】
つぎに、本実施形態の照明付手摺１を説明する。
まず、本考案の照明付手摺の特徴を説明する前に、照明付手摺の使用状況の概略を説明する。
図２において、符号１は、照明機能を有する本実施形態の照明付手摺１を示している。また、符号ＣＡは、マンション等の集合住宅の共用通路を示しており、符号ＣＵは、マンション等の集合住宅の共用階段を示している。さらに、符号Ｗは、共用通路および共用階段に沿って設けられた壁を示している。
【００２１】
図２（Ａ）および図（Ｂ）に示すように、本実施形態の照明付手摺１は、マンション等の集合住宅の共用通路ＣＡや共用階段ＣＵの壁Ｗに設置して使用することができる。
図１に示すように、本実施形態の照明付手摺１は、人が握るための棒状の長尺な横木部材１０を備えている。この横木部材１０は、支持部材２０によりその長手方向の軸が共用通路ＣＡの長手方向に略平行になるように、壁Ｗに連結して配置される。そして、この横木部材１０には、共用通路ＣＡの通路面に向かって光Ｌを放射するための照明部１０が設けられている。
【００２２】
かかる構成であるので、図２（Ａ）および図２（Ｂ）に示すように、横木部材１０の照明部１１を点灯すれば、横木部材１０の長手方向に沿って共用通路ＣＡの通路面や共用階段ＣＵの踏面（足をのせる部分）を照らしだすことができる。つまり、夜間において、共用通路ＣＡ等を人が歩行する場合、人の足元付近および歩行するための通路面等を照らしだすことができる。すると、夜間、かかる共用通路ＣＡ等を人が歩行する際、共用通路ＣＡ等に存在する段差や障害物等などを容易に目視することができる。つまり、夜間でも、段差等を気にしながらゆっくりと慎重に歩行することなく、昼間と同様の歩行スピードで歩行しても段差等に躓いたり転んだりすることを防ぐことができるのである。このため、本実施形態の照明付手摺１を共用通路ＣＡ等に設ければ、共用通路ＣＡの通路面等を照らすことができるので、夜間でも安心して共用通路ＣＡを歩行することができる。とくに、各段差面の差が大きい共用階段ＣＵにおいては、夜間でも各段の踏面を十分に目視することができるので、より安心して歩行することができる。
【００２３】
また、マンション等の集合住宅などの建造物の共用通路ＣＡや共用階段ＣＵは、緊急時において、避難通路としても使用される。かかる避難通路として使用される共用通路ＣＡ等に沿った壁Ｗに本実施形態の照明付手摺１を設置して、夜間に誘導灯として照明部１１を点灯させる。すると、夜間の緊急時でも人がその足元付近の共用通路ＣＡの通路面や共用階段ＣＵの踏面を目視することができる程度に照らしだすことができるから、避難する人は、照らしだされた共用通路ＣＡや共用階段ＣＵに沿って避難することができる。つまり、本実施形態の照明付手摺１は、平常時では共用通路ＣＡ等を歩行する人の歩行を補助するために使用することができ、かつ、緊急時では緊急避難通路における避難誘導灯としても使用することができるのである。
【００２４】
しかも、本実施形態の照明付手摺１は、人のパニックを抑制するという効果も有する。緊急避難警報などが発令された場合、人はパニックになりやすい。とくに、夜間に避難警報が発令された場合、避難通路が暗ければ、パニックはより大きくなるという傾向にある。しかし、本実施形態の照明付手摺１を避難通路として使用される共用通路ＣＡや共用階段ＣＵに沿った壁Ｗに設置しておけば、パニックを起こしていても、避難通路が照らしだされているので、落ち着きを取り戻すことができ、パニックはそれほど大きくならない。すると、ある程度落ち着きを取り戻した状態で、避難通路を歩行することができるので、よりスムーズに、かつ安心して所定の避難場所まで行くことができる。
【００２５】
なお、上記例では、壁Ｗに照明付手摺１を設置した場合について説明したが、照明付手摺１を共用通路ＣＡなどに直接設置することができるのは言うまでもない。例えば、エントランス等の通路において、壁が存在しない場所では、エントランス通路の端部に直接支持部材２０を設けることができる。すると、上述と同様に夜間でもエントランス通路の通路面を照明付手摺１の横木部材１０に設けられた照明部１１により照らしだすことができる。
【００２６】
つぎに、本実施形態の照明付手摺１について説明する。
図１に示すように、本実施形態の照明付手摺１は、横木部材１０と、この横木部材１０に連結して横木部材１０を支持する支持部材２０と、を備えている。
【００２７】
（横木部材１０の説明）
図１に示すように、横木部材１０は、その取付部10gに取り付けられた照明部１１を備えたものである。
【００２８】
この横木部材１０は、長尺な部材である。具体的には、横木部材１０は、一般的な手摺に用いられる横木または笠木と同程度の棒状または板状の長尺な部材であって、その大きさが人の手で握れる程度に形成されている。例えば、横木部材１０が棒状の長尺な部材の場合、その断面が略円形であって、直径が３８〜５０ｍｍ程度となるように形成されている。
【００２９】
なお、横木部材１０は、人が握ることができる大きさおよび形状であれば、上記形状、サイズに限定されず、本実施形態の照明付手摺１を設置する場所などに応じて適宜適切な大きさおよび形状にすることができる。例えば、病院などの廊下の壁面に本実施形態の照明付手摺１をする場合、その断面形状が断面略矩形状に形成してもよい。この場合、患者が横木部材１０の角に指をかけることができるので、転びにくくなる。
【００３０】
（取付部10gについて）
横木部材１０には、溝状の取付部10gが形成されている。この取付部10gは、横木部材１０の表面から内方に向かって凹んだ形状に形成されている。そして、この取付部10gは、その軸方向が横木部材１０の長手方向と略平行になるように形成されている。
例えば、図１に示すように、取付部10gは、その凹み形状を断面矩形に形成することができるが、その断面形状は照明部１１を取り付けることができる形状であれば、とくに限定されない。
また、取付部10gは、その大きさが照明部１１を取り付けることができる大きさであれば、とくに限定されない。例えば、取付部10gは、その断面矩形の開口幅が７〜２０ｍｍ程度であり、その凹み深さが３〜１０ｍｍ程度になるように形成することができる。
【００３１】
（照明部１１について）
照明部１１は、帯状に形成された部材であって、図１に示すように、取付部10gに取り付けることができる構造となっている。この照明部１１は、その長手方向に沿って配設された複数のＬＥＤ光源部１２を備えている。そして、透光性を有し、かつ、柔軟性を有する被覆部１５によって覆われた帯状被覆部を備えている。
例えば、照明部１１は、幅方向の長さが１０ｍｍ程度の帯状の部材であって、所定の間隔を開けて複数のＬＥＤ光源部１２が略一列になるように配設するようにして形成されている（図１（Ｂ）参照）。
また、例えば、図１に示すように、光源がＬＥＤ光源部１２で形成されていれば、照明部１１を薄くかつ小さくすることができるので好適である。この場合、照明部１１を薄くできるので、照明部１１を取り付けるための取付部10gの形成が容易となる。
なお、隣接するＬＥＤ光源部１２同士は、薄い導線などで電気的に接続されている。
また、ＬＥＤ光源部１２は、一般的なＬＥＤ光源を採用することができる。
【００３２】
（支持部材２０について）
支持部材２０は、建造物の壁面や通路面等に本実施形態の照明付手摺１を設置した状態において、壁面や通路面等に対して横木部材１０を支持することができる部材であれば、とくに限定されない。例えば、図１に示すように、支持部材２０は、板状の部材であって、その両端部のうち、先端部が横木部材１０に連結し、かつ、基端部が建造物の壁等に連結するように形成されている。支持部材２０の両端部は、それぞれ横木部材１０および建造物の壁等に接合できる構造であれば、とくに限定されない。
【００３３】
なお、照明付手摺１の素材は、木、樹脂、金属など照明付手摺１の横木部材１０および支持部材２０を形成できる素材であれば、とくに限定されない。
【００３４】
以上のごとき構造であるので、本実施形態の横木部材１０は、その溝状に形成された取付部10gに対して、複数のＬＥＤ光源部１２を備えた帯状の照明部１１を取り付けるだけで、照明機能を有する構造とすることができる。つまり、横木部材１０の取付部10gに照明部１１を取り付けるだけの簡単な構造によって本実施形態の照明付手摺１に照明機能を付与することができるのである。
【００３５】
具体的には、図３（ＩＩ）に示すように、照明部１１を取付部10gの開口から挿入し、照明部１１の背面（照明部１１を取付部10gに取り付けた状態において取付部10gの内底面に対向する面）が取付部10gの内底面に接するように取り付ければ、簡単に照明部１１を取付部10gに取り付けることができる。
【００３６】
すると、共用通路ＣＡの通路面と略平行になるように横木部材１０を配置すれば、横木部材１０に沿って共用通路ＣＡの通路面を確実に照らしだすことができる。そうすると、照明部１１を点灯すれば、夜間でも共用通路ＣＡを歩行する人の足元付近を照らしだすことができるので、夜間に人が共用通路ＣＡを歩行する際、共用通路ＣＡに存在する段差や障害物等に躓いたり、段差等を踏み外したりするのを防止できる。
【００３７】
しかも、照明部１１は、複数のＬＥＤ光源部１２を備えているので、取付部10gに照明部１１を取り付けるだけで、一度に複数のＬＥＤ光源部１２を横木部材１０に取り付けることができる。すると、ＬＥＤ光源部１２をそれぞれ個別に横木部材１０に取り付けるという作業が不要となるので、横木部材１０に対して照明機能を付与するための作業工数を少なくすることができる。
【００３８】
さらに、取付部10gに照明部１１を取り付けるだけで、本実施形態の照明付手摺１に照明機能を付与することができる。このため、横木部材１０に一般的な照明器具に設けられる配線等を収容するための特別な収容空間を設けなくてもよくなるから、横木部材１０の構造をより簡単にできる。逆にいえば、照明部１１に不具合等が生じた場合には、照明部１１を取付部10gから簡単に取り外して照明部１１を修理等することができるので、照明部１１を修理等するための作業工数をも少なくすることができる。
【００３９】
また、照明部１１は、透光性を有し、かつ、柔軟性を有する樹脂で形成されている被覆部１５を備えていてもよい。この場合、被覆部１５によりＬＥＤ光源部１２が保護されるので、照明部１１を振動や衝撃などに対する堅牢性を有する構造にできる。しかも、被覆部１５は樹脂製であるので、耐水性を有するから、横木部材１０が濡れても照明部１１内部まで水が浸透しない構造にできる。すると、照明部１１が水に濡れたりする状況、例えば、建造物の外部や屋内の風呂場等に照明付手摺１を設置した場合でも、水によって生じる照明部１１の不具合を防止できる。
なお、照明部１１が被覆部１５を備えている方が、ＬＥＤ光源部１２の保護の点では好ましいが、人が横木部材１０をほぼ握らず、水による影響もない場所に照明付手摺１を設置する場合であれば、照明部１１が被覆部１５を備えていなくてもよいのは、言うまでもない。
【００４０】
さらに、横木部材１０は、人が握ることができる程度の高さ、例えば、通路面から約６００〜９００ｍｍの高さになるように配置するのが好適である。この場合、照明部１１を点灯すれば、横木部材１０の表面の一部を照らしだすことができる。
例えば、図２（Ａ）に示すように、横木部材１０の取付部10gが共用通路ＣＡの通路面に対向するように本実施形態の照明付手摺１を壁Ｗに設置した場合、横木部材１０の下側（横木部材１０の中心を通る水平面よりも下方に位置する表面）の約１/３の表面に反射光があたる。すると、夜間において、人が横木部材１０を見たときに、横木部材１０の位置を認識することができるので、共用通路ＣＡを歩行する際に、人は横木部材１０を握り易くなる。とくに、お年寄りや、体の不自由な人にとっては、夜間でも横木部材１０を認識できるので、確実に横木部材１０を握りながら歩行することができる。
【００４１】
（横木部材１０の詳細な説明）
つぎに、横木部材１０の各部について、詳細に説明する。
【００４２】
上述したように、本実施形態の照明付手摺１の横木部材１０には、その表面から内方に向かって凹んだ形状を有する溝状の取付部10gと、この取付部10gに取り付けられた照明部１１と、を備えている。
【００４３】
（取付部10gについて）
上述したように、取付部10gは、横木部材１０の表面から内方に向かって凹んだ形状であり、その軸方向が横木部材１０の長手方向と略平行になるように溝状に形成されている。具体的には、図１に示すように、この取付部10gは、その断面形状が照明部１１の断面形状と略相似形であって、その大きさが照明部１１と同一またはやや小さくなるように形成されている。
【００４４】
また、図３（ＩＩ）に示すように、取付部10gの凹み深さＬ１は、照明部１１の厚さＬ２と同一またはやや小さくなるように形成されている。例えば、取付部10gの凹み深さＬ１が照明部１１の厚さＬ２よりもやや小さい場合、照明部１１を取付部10gに取り付けたときに、照明部１１の正面側の上方部が取付部10gの開口からやや突出した状態で取り付けることができる。
【００４５】
（照明部１１の詳細な説明）
図１（Ｂ）および図３（ＩＩ）に示すように、照明部１１は、帯状に形成された部材であって、その長手方向の軸AL2に沿って、複数のＬＥＤ光源部１２が配設されたものである。そして、この照明部１１は、透光性を有し、かつ、柔軟性を有する被覆部１５によって覆われた帯状被覆部と、から構成されている。
【００４６】
（ＬＥＤ光源部１２について）
複数のＬＥＤ光源部１２は、上述した照明部１１の長手方向の軸AL2に沿って、所望の間隔を開けてほぼ一列に配置されている。
具体的には、図１（Ｂ）に示すように、この複数のＬＥＤ光源部１２は、正面視において、各ＬＥＤ光源部１２が帯状の部材の上に設けられている。そして、この複数のＬＥＤ光源部１２は、その長手方向の軸AL2に沿って、約２０ｍｍ〜２５ｍｍ間隔を開けてほぼ一列に配置されている。つまり、この複数のＬＥＤ光源部１２は、その配列方向の軸が、上記照明部１１の長手方向の軸AL2と一致するように形成されているのである。この場合、個々のＬＥＤ光源部１２から放射される光は、その重なりが小さくなるので、少ないＬＥＤ光源部１２でより効率良く横木部材１０から、通路面等に向かって光を放射することができる。
【００４７】
個々のＬＥＤ光源部１２は、基盤１３と、この基盤１３上に連結するように配置された発光体１４と、を備えている。
例えば、図１に示すように、基盤１３は、約３〜６ｍｍ四方の略正方形であり、発光体１４は、直径約２〜４ｍｍの略円形であり、両者を重ねあわせた状態の厚さが約２〜４ｍｍとなるように形成することができるが、基盤１３および発光体１４は、連結した状態において、上述した帯状被覆部１５の内部に収容され得る大きさであれば、その形状および大きさは、とくに限定されない。
【００４８】
また、ＬＥＤ光源部１２の発光体１４から放射される光の角度（いわゆる指向角）、つまり発光体１４の中心軸（発光体１４の中心をとおり表面に対して直交する軸）を正面から見たときの明るさの範囲は、約５〜１４０度にできるが、その範囲はとくに限定されない。例えば、発光体１４を上記のごとき構造とすれば、指向角を約１３５〜１４０度とすることができるので、ＬＥＤ光源部１２が広い指向性を有する。
なお、このＬＥＤ光源部１２は、隣接するＬＥＤ光源部１２同士が、薄い導線などで電気的に接続されている。
【００４９】
（被覆部１５について）
図１に示すように、上述したＬＥＤ光源部１２は、被覆部１５で覆われている。この被覆部１５は、透光性を有し、かつ、柔軟性を有する樹脂で形成されている。
この被覆部１５は、透光性を有するので、被覆部１５内のＬＥＤ光源部１２から放射された光を被覆部１５を通して外部に放射することができる。そして、かかるＬＥＤ光源部１２は、透光性を有する柔軟性樹脂で形成された被覆部１５によって被覆されているので、ある程度の振動や衝撃などに対しても直接内部のＬＥＤ光源部１２に伝達されない構造となっている。このため、横木部材１０や照明部１１は、その内部にＬＥＤ光源部１２を振動等から保護するための特別な構造が不要となる。言い換えれば、かかるＬＥＤ光源部１２を備えた照明部１１は、外部からの衝撃等に対して堅牢性を有するのである。
また、被覆部１５は、ＬＥＤ光源部１２を完全に覆っているので、ＬＥＤ光源部１２に直接ゴミや埃が付着することによりＬＥＤ光源部１２に不具合が生じるのを防止することができる。
【００５０】
とくに、この被覆部１５を、帯状に形成し、その内部に複数のＬＥＤ光源部１２を配設したもの、が好ましい。
具体的には、図１（Ｂ）および図３に示すように、帯状被覆部１５の内部に複数のＬＥＤ光源部１２がその軸方向に沿って略一列に配列する。この場合、帯状被覆部１５の内部には、複数のＬＥＤ光源部１２だけでなく、隣接するＬＥＤ光源部１２の基盤１３や両者を電気的に接続する導線などを含む基盤部も配置される。すると、照明部１１を取付部10gに取り付けるときに取り付け作業により生じるミスなどが発生することを防止できる。例えば、取り付け作業のときに、隣接するＬＥＤ光源部１２間を電気的に繋いでいる導線を誤って断線させてしまうなどといった作業上のミスを防止できる。しかも、取り付け作業員にとっては断線などの取り付け作業のミスが生じるという不安も解消できるので、取り付け作業の効率を上げることができる。
【００５１】
以上のごとき構造であるので、照明部１１を取付部10gに取り付けるだけで、照明部１１の中心軸と取付部10gの中心軸が略一致するように取り付けることができる。すると、照明部１１を取付部10gの長手方向に沿って確実かつ長手方向の歪みもない状態で綺麗に取り付けることができる。そうすると、照明部１１を取付部10gに取り付ける際の調整も不要となるので、取り付けるための作業工数をより少なくすることができる。
【００５２】
例えば、両者の大きさが同一の場合、照明部１１を取付部10gに取り付けるときに、照明部１１の背面が取付部10gの底面に接するように取り付けることができる（図３（ＩＩ）参照）。すると、照明部１１を取付部10gに取り付けた状態において、複数のＬＥＤ光源部１２がその配列方向の軸が照明部１１の長手方向の軸AL2上に位置するように配列されるので、それぞれのＬＥＤ光源部１２と取付部10gの開口との相対的な位置関係がほぼ同じ状況となる。このため、図２に示すように、壁Ｗに本実施形態の照明付手摺１を配置した状態において、横木部材１０の軸方向に沿って均一かつ綺麗に共用通路ＣＡの通路面を照らしだすことができる。
【００５３】
とくに、取付部10gの大きさが照明部１０よりもやや小さい場合、照明部１１を取付部10gに取り付ける際に、照明部１１を取付部10gに嵌めこむようにして取り付けることができる。すると、照明部１１の取り付けがよりスムーズに行うことができ、かつ、照明部１１は取付部10gに嵌めこまれた状態で取付部10gに取り付けられているので、取付部10gから照明部１１を外れにくくすることができる。
【００５４】
また、照明部１１を取付部10gに嵌め込むように取り付けているので、照明部１１の側面と取付部10gの一対の内壁を面接触させた状態で照明部１１を取付部10gに取り付けることができる。つまり、照明部１１の被覆部１５を取付部0gの内壁に密着させて取り付けることができる。すると、取付部10gに照明部１１を取り付けた状態において、取付部10gの内壁と照明部１１の側面との間には、隙間が形成されないのである。そうすると、取付部10gの内壁と照明部１１の側面との間に埃や水滴等が侵入するのを防止できる。このため、照明部１１と取付部10gの内壁との間に埃や水滴等が侵入することによって生じる照明部１１の不具合の発生を防止できる。
【００５５】
さらに、照明部１１を取付部10gに取り付けた状態において、照明部１１の上方部が横木部材１０の外周面に対してやや突出した状態にしてもよい。この場合、人が横木部材１０を握った際、指の腹側部（指腹側部）は、横木部材１０の外周面からやや突出した照明部１１の上方部に接触するので、照明部１１の上方部よりも下方に位置する取付部10gの内壁の端縁には接触しないから、人は横木部材１０をより握りやすくなる。
【００５６】
また、人が本実施形態の照明付手摺１の横木部材１０を握ったりする際、横木部材１０には衝撃や振動等が加えられる。しかし、上述したように、照明部１１に配置された複数のＬＥＤ光源部１２は、被覆部１５によって保護されているので、振動や衝撃等によってＬＥＤ光源部１２が破損等するのを防止することができる。すると、横木部材１０や照明部１１は、その内部にＬＥＤ光源部１２を振動等から保護するための特別な構造が不要となるので、横木部材１０は、その構造が溝状の取付部10gと、この取付部10gに取り付けられた照明部１１だけといった簡単な構造にすることができる。このため、照明部１１が何らかの不具合により修理等が必要になった場合であっても、本実施形態の照明付手摺１を分解して照明部１１を取り外すといった手間も不要となるので、照明部１１の修理にかかる作業工数をより少なくすることができる。
【００５７】
とくに、被覆部１５が帯状に形成されており、その内部に複数のＬＥＤ光源部１２を配設されている場合には、取付部10gの大きさが照明１１の大きさよりもやや小さくする。つまり、取付部10gの断面形状の大きさが照明部１１よりもやや小さく、かつ、凹み深さが照明部１１よりもやや小さくする。すると、上述したように照明部１１をその上方部が取付部10gの開口からやや突出するように取付部10gに取り付けることができる。このとき、この突出した部分は、柔軟性を有する樹脂で形成された被覆部１５であるので、取付部10gの開口からやや突出した被覆部１５のうち取付部10gの内壁の端縁近傍の被覆部１５は、横木部材１０の外周面に沿って周方向に向かって張り出す。すると、取付部10gの内壁の端縁は、横木部材１０の外周面に沿って周方向に向かって張り出した被覆部１５によって覆われた状態にすることができる。このため、人が横木部材１０を握ったときに、指腹側部は常に被覆部１５に接触し取付部10gの内壁の端縁には接触しないから、さらにより握り易くなる。
【００５８】
なお、本実施形態の照明付手摺１の横木部材１０は、その取付部10gが、本実施形態の照明付手摺１を共用通路ＣＡに沿った壁Ｗに設置した状態において、照明部１１を点灯した場合、共用通路ＣＡの通路面が照らしだすことができる部位に形成されていればよく、とくに限定されない。
例えば、横木部材１０が断面円形の場合、取付部10gは、その開口の中心線CL1が、横木部材１０の中心Ｃを通り共通通路ＣＡの通路面に対して略直交する面上に位置するように形成してもよい（図３（ＩＩ）参照）。この場合、図２（Ａ）に示すように、横木部材１０のほぼ真下の通路を横木部材１０に沿ってより明るく照らしだすことができる。
とくに、取付部10gを、取付部10gの開口の中心線CL1と横木部材１０の中心Ｃを結んだ線と、横木部材１０の中心Ｃを通り共通通路ＣＡの通路面に対して略直交する面が形成する角度が５０度〜６０度となるように横木部材１０に形成すれば、共用通路ＣＡの幅が約１２００ｍｍの場合、共用通路ＣＡの幅方向の通路面全体をほぼ照らしだすことができるので、夜間でもより歩行がしやすくなる。
【００５９】
（他の実施形態について）
また、上述した横木部材１０は、取付部10gを１つ形成した場合について説明したが、取付部10gを複数形成してもよい。この場合、横木部材１０には、複数の照明部１１が取り付けられるので、マンション等の集合住宅などの共用通路ＣＡに沿った壁Ｗに本実施形態の照明付手摺１を設置した状態において、共用通路ＣＡの通路面をより明るく照らしだすことができる。
【００６０】
例えば、図２（Ｃ）に示すように、一の取付部10gを共用通路ＣＡの通路面に対向するように形成し、他方の取付部10gを壁Ｗの壁面に対向するように形成してもよい。この場合、壁Ｗの壁面に対向するように形成した取付部10gに取り付けられた照明部１１から放射された光は、壁面に照射される。この壁面に照射された光は、壁面で反射し、反射光となって共用通路ＣＡ側の空間を照らし出す。つまり、横木部材１０の設置位置よりも上方の共用通路ＣＡ側の空間を間接照明光によって照らし出さすことができるのである。すると、夜間、人が共用通路ＣＡを歩行する際、かかる間接照明光によって確実に横木部材１０を認識することができる。しかも、間接照明光は直接光ではないので、人が横木部材１０を見ても眩しくないので、より確実に横木部材１０を視認でき、かつ確実に横木部材１０を握ることができる。
【００６１】
（調光機能および色調機能の説明）
また、照明部１１には、照明部１１のＬＥＤ光源部１２へ電力を供給し、かつ、ＬＥＤ光源部１２の動作を制御するための制御手段１６が電気的に導線などで接続されているのが好ましい。
この制御手段１６は、電源部と、この電源部と照明部１１に設けられているＬＥＤ光源部１２との間に電気的に接続する導線を備えている。電源部は、商用電源から供給される電力を直流電力に変換してＬＥＤ光源部１２に供給する電源と、電源の作動を制御してＬＥＤ光源部１２の作動を制御する作動制御回路を内蔵している。電源部に設けられる電源および作動制御回路はとくに限定されず、一般的なＬＥＤ光源に使用されるものを採用することができる。導線は、電源部とＬＥＤ光源部１２との間を電気的に接続できる一般的な導線であればよく、とくに限定されない。
【００６２】
上記のごとき制御手段１６を照明部１１に接続すれば、ＬＥＤ光源部１２を制御することができるので、本考案の照明付手摺１に調光機能なども付与することができる。例えば、制御手段１６によって、ＬＥＤ光源部１２から放射される光の光量を調整することができるので、本考案の照明付手摺１から放射される光を所望の明るさにできる。
【００６３】
また、制御手段１６によって、ＬＥＤ光源部１２のＯＮ、ＯＦＦも調整できる。
【００６４】
さらに、ＬＥＤ光源部１２に備えられた発光体１４は、異なる波長の光を発光することができるものであってもよい。すると、制御手段１６によって、ＬＥＤ光源部１２から放射される光の色調も調整することができるので、本考案の照明付手摺１から放射される光を所望の色調にできる。例えば、平常時において白色の波長の光を発光し、緊急時において青色または赤色の波長の光を発光するように発光体１４を制御することができる。
【００６５】
また、上述した例では、横木部材１０に形成された溝状の取付部10gは、その凹み深さが照明部１１を取り付けることができる程度の深さになるように形成されている場合について説明したが、横木部材１０には、その凹み深さがより深くなるように形成した取付部10gを形成してもよい。この場合、取付部10gの内底面と照明部１１との間に上述した制御手段１６を配置することができる。すると、制御手段１６は外部に露出しないので、水や衝撃等によって制御手段１６が故障や破損等するのを防止することができるし、制御手段１６を外部に配置する場合に水や衝撃等から制御手段１６を保護するための特別な構造も不要となる。しかも、制御手段１６と照明部１１とを電気的に接続する導線等も取付部10g内に配置できるので、導線等の断線等を防止できる。さらに、かかる取付部10gに制御手段１６と照明部１１を取り付けた状態において、外部から制御手段１６と照明部１１を視認できないので、本考案の照明付手摺１をすっきりとさせることができる。
【００６６】
とくに、横木部材１０が木製であれば、横木部材１０には、より深い取付部10gを形成することができる。かかる取付部10gを横木部材１０に形成しても、横木部材１０の強度を維持することができる、ので好ましい。具体的には、木製の横木部材１０では、その表面から内方に向かって直径の２／３程度の凹み深さの取付部10gを形成することができる。
【００６７】
例えば、図４（Ａ）に示すように、木製の横木部材１０の断面形状が断面略円形状であって、その直径が約３０ｍｍであれば、横木部材１０には、その凹み深さが略２０ｍｍの取付部10gを形成することができる。すると、取付部10gの収容空間が大きくなるので、一般的な照明用の制御手段を収容することができる。
【００６８】
また、木製の横木部材１０は、その断面形状が断面略楕円形状に形成されていれば、その断面矩形の開口幅がより広い取付部10gを形成することができる。すると、制御手段１６を取付部10g内に取り付ける際の取付作業を容易に行うことができる。
【００６９】
例えば、図４（Ｂ）に示すように、その断面形状が断面略楕円形の木製の横木部材１０であって、その断面視において、図示しない横木部材１０の中心Ｃを通り両端を結んだ長手方向の幅が約５０ｍｍであり、中心Ｃを通りこの長手方向に対して直交する上端と下端を結んだ長さが約３０ｍｍである場合、横木部材１０には、その開口幅が約３０ｍｍの取付部10gを形成することができる。
【００７０】
また、支持部材２０は、その内部に両端部を連通する中空な空間部が形成されているのが好ましい。この場合、上述した取付部10gに制御手段１６と照明部１１を取り付けた状態において、取付部10gおよび支持部材２０内にコード等を配線することができる。すると、コード等は外部に配設されないので、人が本考案の照明付手摺１を使用する際にコード等に引っかかったりしないから人は安心して本考案の照明付手摺１を使用することができる。
【産業上の利用可能性】
【００７１】
本考案の照明付手摺は、建造物において人の歩行や安全を守ることが求められている場所に使用される手摺に適している。
【符号の説明】
【００７２】
１      照明付手摺
１０    横木部材
１１    照明部
１２    ＬＥＤ光源部
１３    基盤
１４    発光体
１５    被覆部
２０    支持部材
Ｗ      壁
ＡＣ    共用通路
【図１】
0003174769.tif 000003
【図２】
0003174769.tif 000004
【図３】
0003174769.tif 000005
【図４】
0003174769.tif 000006